(57)【要約】【課題】ホログラフィック記憶において、簡単な制御で、高密度で正確な記憶ができ、且つ連続的に情報を記憶することができる光情報記憶方法を提供する。【解決手段】情報光および記憶用参照光を第１の条件で光記憶媒体の複数箇所に照射して複数の第１の照射領域ａ１〜ａ１＋２、ｃ１〜ｃ１＋２を形成して第１の情報群を記憶し、情報光および記憶用参照光を第２の条件で光記憶媒体の複数箇所に第１の照射領域と同じ割合で重畳するように照射して複数の第２の照射領域ａ２〜ａ２＋２、ｃ２〜ｃ２＋２を形成して第２の情報群を記憶する。【選択図】      図１
2005032308.tif 000002
【特許請求の範囲】
【請求項１】
空間的に変調することで情報を担持した情報光と、記憶用参照光とを光記憶媒体に照射し、照射領域における前記情報光と前記記憶用参照光との干渉パターンを情報として記憶する光情報記憶方法であって、
第１の条件で前記情報光および前記記憶用参照光を前記光記憶媒体の複数箇所に照射して複数の第１の照射領域を形成して第１の情報群を記憶し、
第２の条件で前記情報光および前記記憶用参照光を前記光記憶媒体の複数箇所に前記第１の照射領域と重畳するように照射して複数の第２の照射領域を形成して第２の情報群を記憶することを特徴とする光情報記憶方法。
【請求項２】
前記複数の第１の照射領域は、互いに重畳していないことを特徴とする請求項１に記載の光情報記憶方法。
【請求項３】
前記第２の照射領域と前記第１の照射領域の重畳する割合は、前記複数の第２の照射領域のそれぞれにおいて同じであることを特徴とする請求項１または２に記載の光情報記憶方法。
【請求項４】
前記第２の照射領域は、前記第１の照射領域の一部と重畳していることを特徴とする請求項１乃至３のいずれか１項に記載の光情報記憶方法。
【請求項５】
前記第２の照射領域は、前記第１の照射領域の全部と重畳していることを特徴とする請求項１乃至３のいずれか１項に記載の光情報記憶方法。
【請求項６】
前記第２の条件は、前記第１の条件に比べて前記光記憶媒体に対する前記情報光または前記記憶用参照光の入射角も変化させたことを特徴とする請求項５に記載の光情報記憶方法。
【請求項７】
前記光記憶媒体を複数のゾーンに分けて、各ゾーン内において前記第１の情報群の記憶および前記第２の情報群の記憶を行うことを特徴とする請求項１乃至６のいずれか１項に記載の光情報記憶方法。
【発明の詳細な説明】
【０００１】
【発明の属する技術分野】
本発明は、空間的に変調することで情報を担持した情報光と、記憶用参照光とを光記憶媒体に照射して、前記光記憶媒体の情報記憶層おいて干渉させ、当該干渉パターンによって情報を記憶する光情報記憶方法に関する。
【０００２】
【従来の技術】
ホログラフィを利用して記憶媒体に情報を記憶するホログラフィック記憶は、一般的に、イメージ情報を持った情報光と参照光とを記憶媒体の内部で重ね合わせ、そのときにできる干渉縞パターンを記憶媒体に書き込むことによって行われる。記憶された情報の再生時には、その記憶媒体に参照光を照射することにより、干渉縞パターンによる回折によりイメージ情報が再生される。
【０００３】
近年、ホログラフィック記憶において、超高密度のデータ密度とするために、ボリュームホログラフィ、特にデジタルボリュームホログラフィが実用域で開発され注目を集めている。ボリュームホログラフィとは、記憶媒体の厚み方向も積極的に活用して、３次元的に干渉縞を書き込む方式であり、デジタルボリュームホログラフィとは、ボリュームホログラフィと同様の記憶媒体と記憶方式を用いつつも、記憶するイメージ情報は２値化したデジタルパターンに限定した、コンピュータ指向のホログラフィック記憶方式である。このデジタルボリュームホログラフィでは、例えばアナログ的な絵のような画像情報も、一旦デジタル化して、２次元デジタルパターン情報に展開し、これをイメージ情報として記憶する。再生時は、このデジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。
【０００４】
ボリュームホログラフィによるホログラム記憶層への記憶の一例は、記憶すべき情報を担持する情報光と記憶用参照光とがホログラム記憶層内において厚み方向の干渉縞を生じるように透明基板側から同時に所定時間照射し、ホログラム記憶層内に干渉縞パターンを立体的に定着せしめることによって情報を立体的なホログラムとして記憶している（特許文献１および特許文献２）。
【０００５】
図３は、このようなホログラフィック記憶における光記憶媒体１の一例を概略的に示したものであり、図３（Ａ）はトラック９に沿った概略断面図であり、（Ｂ）は概略平面図である。光記憶媒体１は、円形透明基板２の下にホログラム記憶層３を設け、更に透明な中間層４を介し反射膜５が設けられており、これらを基板６と貼り合わせて構成されている。円形の光記憶媒体１には同心円状または螺旋状にトラック９が設けられている（図３（Ｂ）においては点線で示す）。反射膜５には、半径方向に複数のアドレス・サーボ領域７が所定の角度間隔で配列され、周方向に隣り合うアドレス・サーボ領域７間には、情報記憶領域８が設けられている。アドレス・サーボ領域７には、フォーカス・サーボ制御及びトラッキング・サーボ制御を行うための情報及び情報記憶領域８に対するアドレス情報とが、予めエンボスピットによって記憶してある。トラッキング・サーボ制御を行うための情報としては、例えば、ウォブルピットを使用することができる。
【０００６】
光記憶媒体１の具体的な構成は、透明基板２が、例えば、０．６ｍｍ以下の適宜の厚みを有し、ホログラム記憶層３が、例えば１０μｍ以上の適宜の厚みを有している。ホログラム記憶層３はレーザビームで所定時間照射された時にレーザービームの強度に応じて屈折率、誘電率、反射率等の光学特性が変化するホログラム記憶材料によって形成されており、例えば、デュポン（Ｄｕｐｏｎｔ）社製のフォトポリマ（Ｐｈｏｔｏｐｏｌｙｍｅｒｓ）  ＨＲＦ−６００（製品名）等が使用される。
【０００７】
ところで、円板状の光記憶媒体に情報を光学的に記憶する一般的な記憶装置では、回転する光記憶媒体に対して情報記憶用の光ビームを照射する光ヘッドを備えている。そして、このような記憶装置では、光記憶媒体を回転させながら、光ヘッドより光記憶媒体に情報記憶用の光ビームを照射して、光記憶媒体に情報の記憶が行われるようになっている。この様な記憶装置にあっては、情報記憶用の光ビームを生成するための光源としては、一般的に半導体レーザが用いられている。
【０００８】
ホログラフィック記憶においても、上記のような一般的な光学的記憶装置と同様に、光記憶媒体を回転させながら、光記憶媒体に対して情報光と記憶用参照光とをトラック９に沿って照射して、光記憶媒体における複数の情報記憶領域の所定の情報記憶位置に順次情報をホログラムとして記憶するようになっている。このようなホログラフィを利用した記憶に際しても、一般的な光学的記憶装置におけると同様に、情報光および記憶用参照光用の光源としては、実用的な半導体レーザの使用が望ましい。
【０００９】
こうしたボリュームホログラフィにおいては、ホログラム記憶層３の厚みを増すことで回折効率を高め、多重記憶を用いて記憶容量を飛躍的に増大させることができるという特徴がある。多重記憶とは、既に情報光および記憶用参照光を照射して情報を記憶した領域に重ねて別の情報を記憶するための情報光および記憶用参照光を照射する方法である。多重記憶によれば、複数の情報を同じ照射領域中に重ねて記憶することができ、データ密度が著しく大きくなる。
【００１０】
多重記憶の方式として、水平方向に照射位置の一部を重ねてずらすシフト多重記憶方式と、情報光または／および記憶用参照光の記憶媒体への入射角度を変化させる角度多重記憶方式とがある。
【００１１】
図４は、従来のシフト多重記憶方式を説明するための図である。まず、図４（Ａ）に示すように、照射領域ａ１に、最初の情報を記憶するための情報光および記憶用参照光を照射して干渉縞パターンを記憶する。なお、図４において、トラック９を点線で示す。次に、図４（Ｂ）に示すように、照射領域ａ１と一部が重なるように照射位置を水平方向に移動した照射領域ａ２に、次の情報を記憶するための情報光および記憶用参照光を照射して干渉縞パターンを記憶する。その後、順次、照射位置を周方向に移動して情報光および記憶用参照光を照射し、ａ１の列が一杯になったら半径方向に移動して、ｂ１の列、ｃ１の列、ｄ１の列を順次記憶していくことで、図４（Ｃ）に示すように全面に情報を記憶していた。
【００１２】
なお、本出願人は、ホログラフィ記憶におけるシフト多重記憶方式に関して、特願２００１−３７６４３３号を出願している。
【００１３】
図５は、従来の角度多重記憶方式を説明するための図である。図５においては、記憶用参照光の入射角をミラーなどを操作して変化させている。まず、図５（Ａ）に示すように、最初の情報を記憶するための情報光１１および記憶用参照光１２を光記憶媒体に照射する。この際、記憶用参照光１２は、光記憶媒体に対して第１の入射角で照射される。次に、図５（Ｂ）に示すように、記憶用参照光１４の入射角を第１の入射角から第２の入射角に変え、更に、次の情報を記憶するための情報光１３とともに光記憶媒体に照射する。このため、図５（Ａ）における干渉縞パターンが生じる領域と図５（Ｂ）における干渉縞パターンが生じる領域とは同じ領域であるが、干渉縞の角度が異なるので、この同じ照射領域中に重ねて情報を記憶することができる。そして、図５（Ｃ）に示すように、記憶用参照光１６を第３の入射角に変え、情報を記憶するための情報光１５とともに光記憶媒体に照射していく。
【００１４】
【特許文献１】
特開平１１−３１１９３８号公報
【特許文献２】
特開２００３−９９９５２号公報
【非特許文献１】
ディー・パサルティス（Ｄ．  Ｐａｓａｌｔｉｓ）、他４名、「シフト多重化を用いたホログラム記憶装置（Ｈｏｌｏｇｒａｐｈｉｃ  ｓｔｏｒａｇｅ  ｕｓｉｎｇ  ｓｈｉｆｔ  ｍｕｌｔｉｐｌｅｘｉｎｇ）」、オプティクス・レター（Ｏｐｔｉｃｓ  ｌｅｔｔｅｒｓ）、米国）、１９９５年、２０号、ｐ．７８２
【非特許文献２】
エフ・エッチ・モック（Ｆ．Ｈ．Ｍｏｋ）、他２名、「ＬｉＮｂＯ３結晶中  の５００という高解像度のホログラムを用いた記憶装置（Ｓｔｏｒａｇｅ  ｏｆ  ５００  ｈｉｇｈ−ｒｅｓｏｌｕｔｉｏｎ  ｈｏｌｏｇｒａｍｓ  ｉｎ  ａ  ＬｉＮｂＯ３  ｃｒｙｓｔａｌ）」、オプティクス・レター（Ｏｐｔｉｃｓ  ｌｅｔｔｅｒｓ）、（米国）、１９９１年、１６号、ｐ．６０５
【００１５】
【発明が解決しようとする課題】
しかしながら、上述したとおり、ホログラフィック記憶は、レーザービームの強度に応じて屈折率、誘電率、反射率等の光学特性が変化するホログラム記憶材料によって形成されたホログラム記憶層３に、情報光および記憶用参照光を照射することでその干渉縞パターンを定着させている。つまり、ホログラム記憶層３において、情報光および記憶用参照光による光化学反応が生じているのである。このため、ホログラム記憶層３は、情報光および記憶用参照光が照射され情報を記憶すると、光化学反応によって反応物が消費され、且つ生成物が生成されるので、照射領域におけるホログラム記憶層３の組成は記憶する前と変化してしまうのであった。ホログラム記憶層３の組成が変わると、最適なレーザービームの強度も変わってくる。
【００１６】
多重記憶は、既に情報光および記憶用参照光を照射した領域に、再び情報光および記憶用参照光を照射して情報を記憶するので、同じ強度のレーザービームを使用していると、照射領域の多重度（その照射領域に重ねて情報を書き込んだ回数）によって情報の記憶状態が不均一になる。従って、多重記憶においては、照射領域の組成に合わせて照射時間や照射エネルギーを調節してレーザービームの強度も変化させることが好ましい。このレーザービームの照射による組成の変化とその組成における最適なレーザービームの強度の関係は、実験によって得ることができるが、レーザービームの強度の調節は、複雑で煩雑な制御が要求されるものであった。
【００１７】
更に、ホログラム記憶層３の材料によっては、光化学反応の反応速度が遅いため、情報光および記憶用参照光を照射してもすぐには干渉縞パターンが定着せず、定着するために時間が必要な場合があった。このような定着するために時間が必要なホログラム記憶層３においては、定着する前に再び情報光および記憶用参照光を照射すると、進行中の干渉縞パターンの定着に影響し、充分な強度を持ったホログラムが記憶できない原因となっていた。
【００１８】
従来の角度多重記憶方式では、同じ照射領域中に入射角度を変えて複数回レーザービームを照射するため、レーザービームの強度も角度に合わせて毎回調節しなければならなかった。たとえば、多重度がｍで、照射領域数がｎの場合、ｍ×ｎ回のレーザービームの強度と入射角の調節が必要であった。また、定着するために時間が必要な場合は、連続して照射できず、書き込み時間が長くなっていた。更に、従来の角度多重記憶方式は、情報を書き込む際に光記憶媒体を停止させて一つの照射領域に複数の情報を書き込み、その照射領域への書き込みが終了すると光記憶媒体を移動もしくは回転させていたため、移動もしくは回転の停止と始動に時間がかかり、転送レートの低下に繋がっていた。
【００１９】
従来のシフト多重記憶方式では、たとえば周方向への多重度がｍで、半径方向の列の数（図４においては４列）がｎの場合、周方向への多重記憶においては、最初のｍ回は照射領域の重なり具合が異なるが、その後の照射領域では重なり具合は同程度であるから、最初のｍ回だけレーザービームの強度を調節すれば良かった。しかし、半径方向に次の列に移動すると、再び最初のｍ回はレーザービームの強度を調節する必要があるので、結局、ｍ×ｎ回のレーザービームの強度の調節が必要であった。また、従来のシフト多重記憶方式では、定着するために時間が必要なホログラム記憶層３に対しては、連続的に情報を書き込むことができず、書き込み時間が長くなっていた。
【００２０】
本発明は、ホログラフィック記憶において、簡単な制御で、高密度で正確な記憶ができ、且つ連続的に情報を記憶することができる光情報記憶方法を提供することを目的とする。
【００２１】
【課題を解決するための手段】
前述した目的を達成するため本発明の光情報記憶方法は、空間的に変調することで情報を担持した情報光と、記憶用参照光とを光記憶媒体に照射し、照射領域における前記情報光と前記記憶用参照光との干渉パターンを情報として記憶する光情報記憶方法であって、第１の条件で前記情報光および前記記憶用参照光を前記光記憶媒体の複数箇所に照射して複数の第１の照射領域を形成して第１の情報群を記憶し、第２の条件で前記情報光および前記記憶用参照光を前記光記憶媒体の複数箇所に前記第１の照射領域と重畳するように照射して複数の第２の照射領域を形成して第２の情報群を記憶することを特徴とする。
【００２２】
本発明は、光記憶媒体に多重記憶するに際し、同じ条件で記憶できる領域を記憶領域（面）にまとめて記憶していくというアイデアに端を発している。上記構成を採用したことにより、まず、同じ状態の複数の第１の照射領域に第１の条件で第１の情報群を記憶し、次に、第１の照射領域と重畳する第２の照射領域に第２の条件で記憶していくので、多重度がｍの多重記憶をするために、照射条件をｍ回調節するだけで良いのである。しかも、第１の情報群を書き終わるまでの時間を個々の第１の照射領域における光化学反応のための時間とすることができるので、連続して多重記憶方式を実行することができる。本発明のように面単位で同じ条件での記録と再生を行う多重記憶方式を面多重記憶方式と名付けるが、これはシフト多重記憶方式にも、角度多重記憶方式にも適用できることが特徴である。
【００２３】
更に、本発明の光情報記憶方法は、前記複数の第１の照射領域が、互いに重畳していないことを特徴とする。
【００２４】
このような構成を採用したことにより、各第１の照射領域も全く同じ状態であり、第１の条件による照射で、均一に第１の情報群を記憶することができる。
【００２５】
更に、本発明の光情報記憶方法は、前記第２の照射領域と前記第１の照射領域の重畳する割合が、前記複数の第２の照射領域のそれぞれにおいて同じであることを特徴とする。
【００２６】
このような構成を採用したことにより、第２の照射領域に記憶される第２の情報群を、第２の条件によって正確にかつ均一に記憶することができる。
【００２７】
更に、本発明の光情報記憶方法は、前記第２の照射領域が、前記第１の照射領域の一部と重畳していることを特徴とする。
【００２８】
このように、本発明の面多重記憶方式をシフト多重記憶方式に適用すると、レーザービームの調節をまとめて行うことができるので、調節回数を減らすことができ、制御も容易になる。たとえば、周方向への多重度がｍで、半径方向の列の数がｎの場合、半径方向への多重度をｘ（ｘ≦ｎ）とすると、従来ｍ×ｎ回のレーザービームの強度の調節が必要であったのが、ｍ×ｘ回のレーザービームの強度の調節になる。また、第１の情報群を書き終わるまでの時間を個々の第１の照射領域における光化学反応のための時間とすることができるので、連続して多重記憶方式を実行することができる。
【００２９】
更に、本発明の光情報記憶方法は、前記第２の照射領域が、前記第１の照射領域の全部と重畳していることを特徴とする。
【００３０】
このように、本発明の面多重記憶方式を角度多重記憶方式に適用すると、レーザービームの調節をまとめて行うことができるので、調節回数を減らすことができ、制御も容易になる。たとえば、多重度がｍで、照射領域数がｎの場合、従来はｍ×ｎ回のレーザービームの強度の調節が必要であったが、本発明においてはレーザービームの強度の調節がｍ回で済むのである。また、第１の情報群を書き終わるまでの時間を個々の第１の照射領域における光化学反応のための時間とすることができるので、連続して多重記憶方式を実行することができる。更には、各情報群は光記憶媒体を回転させながら書き込むことができるので、従来に比べて転送レートを向上することができる。
【００３１】
更に、本発明の面多重記憶方式を角度多重記憶方式に適用した場合に、前記第２の条件が、前記第１の条件に比べて前記光記憶媒体に対する前記情報光または前記記憶用参照光の入射角も変化させていることが好ましい。
【００３２】
このような構成を採用したことにより、角度多重記憶方式において、レーザービームの入射角の調節もｍ回で済むことになる。
【００３３】
更に、本発明の光情報記憶方法は、前記光記憶媒体を複数のゾーンに分けて、各ゾーン内において前記第１の情報群の記憶および前記第２の情報群の記憶を行うことを特徴とする。
【００３４】
このような構成を採用したことにより、各ゾーンで光記憶媒体の角速度や線速度を一定とすることで、本発明の面多重記憶方式は更に優れた効果を発揮することができる。
【００３５】
【発明の実施の形態】
以下、本発明の実施の形態を図面について説明する。図１および図２は、本発明の光情報記憶方法をシフト多重記憶方式に採用した例である。なお、図１および図２においては、簡略化のため、同じ条件で照射する照射領域を周方向に３つ分、半径方向に４列分だけ示している。
【００３６】
本発明の光情報記憶方法は、多重記憶の記憶する領域の順序および配置を工夫することにより、実施することができるので、従来と同様の構成の光記憶媒体を使用することができる。
【００３７】
本発明の光情報記憶方法を実施する前に、予め各情報群を記憶する際におけるレーザービームの照射条件を実験によって求めておいてもよい。
【００３８】
まず、図１（Ａ）および図２（Ａ）に示すように、第１の条件で情報光および記憶用参照光を光記憶媒体の複数箇所に照射して複数の第１の照射領域ａ１〜ａ１＋２、ｃ１〜ｃ１＋２を形成して第１の情報群を記憶する。各第１の照射領域ａ１〜ａ１＋２、ｃ１〜ｃ１＋２は、隣接する第１の照射領域と重畳しないように、または隣接する照射領域と重畳しても、そのホログラム記憶層の組成の変化が影響しない程度の距離に配置する。
【００３９】
このように、第１の照射領域ａ１〜ａ１＋２、ｃ１〜ｃ１＋２は、光記憶媒体のホログラム記憶層が同じ状態のため、そこに書き込むための情報光および記憶用参照光の各照射は同じ第１の条件でよいのである。第１の条件は、初期状態のホログラム記憶層に適した照射条件である。
【００４０】
次に、図１（Ｂ）に示すように、第１照射領域ａ１〜ａ１＋２、ｃ１〜ｃ１＋２と重なり具合が同程度になるように、第１照射領域から周方向に照射位置を移動して、第２の条件で情報光および記憶用参照光を照射して、複数の第２の照射領域ａ２〜ａ２＋２、ｃ２〜ｃ２＋２を形成して第２の情報群を記憶する。第２の照射領域ａ２〜ａ２＋２、ｃ２〜ｃ２＋２は、第１照射領域と重なり具合が同程度であるから、光記憶媒体のホログラム記憶層が同じ状態のため、そこに書き込むための情報光および記憶用参照光の各照射は同じ第２の条件でよいのである。また、図２（Ｂ）に示すように、第２の情報群を記憶する際に、第２の照射領域ａ２〜ａ２＋２、ｃ２〜ｃ２＋２を光記憶媒体の周方向ではなく、半径方向に移動させてもよい。
【００４１】
第２の条件は、第２の照射領域が第１照射領域と重畳する割合で決定することができ、重畳する面積が広いほど、ホログラム記憶層中の反応物の量が少なくなるので強い照射強度が必要となる。
【００４２】
同様にして、第１の照射領域および第２の照射領域との重なり具合が同程度となるように、周方向または半径方向に照射位置を移動して、第３の条件で情報光および記憶用参照光を照射して、第３の情報群を記憶する。この処理を繰り返しｍ回行うと、図２（Ｃ）に示すように、光記憶媒体の所定の領域に多重度ｍの多重記憶を行うことができる。
【００４３】
なお、周方向に移動して多重記憶を行う場合に、図１（Ｃ）に示すように、周方向にｍ回情報を重ねてａ１＋ｘ〜ａｍ＋ｘ、ｃ１＋ｘ〜ｃｍ＋ｘ（ｘ＝０，１，２）まで記憶した後に、半径方向に移動してそこから更に周方向に情報を重ねてｂ１＋ｘ〜ｂｍ＋ｘ、ｄ１＋ｘ〜ｄｍ＋ｘ（ｘ＝０，１，２）まで記憶してもよい。この場合は、半径方向に隣接する第１の照射領域間に重なる列数（図１（Ｃ）においては２列）、すなわち半径方向の多重度に応じてレーザービームを調節する回数が倍増していく。
【００４４】
以上のとおり、一つの情報群の記憶は、一定の条件で行うことができ、レーザービームの調節をまとめて行うことができるので、調節回数を減らすことができ、制御も容易になる。また、その情報群を書き終わるまでの時間を個々の照射領域における光化学反応のための時間とすることができるので、連続してシフト多重記憶方式を実行することができる。
【００４５】
また、本発明の光情報記憶方法は、角度多重記憶方式にも適用することができる。まず、シフト多重記憶方式と同様に、第１の条件で情報光および記憶用参照光を光記憶媒体の複数箇所に照射して図１（Ａ）および図２（Ａ）と同様に、複数の第１の照射領域ａ１〜ａ１＋２、ｃ１〜ｃ１＋２を形成して第１の情報群を記憶する。各第１の照射領域ａ１〜ａ１＋２、ｃ１〜ｃ１＋２は、隣接する第１の照射領域と重畳しないように、または隣接する照射領域と重畳しても、そのホログラム記憶層の組成の変化が影響しない程度の距離に配置する。
【００４６】
次に、入射角度やレーザービーム強度などを変更した第２の条件で、第１の照射領域ａ１〜ａ１＋２、ｃ１〜ｃ１＋２に情報光および記憶用参照光を照射して第２の情報群を記憶する。この場合、第２の照射領域は、第１の照射領域の全部と重畳することになる。
【００４７】
更に、第２の情報群の記憶が終了したら、入射角度やレーザービーム強度などを更に変更した第３の条件で第１の照射領域ａ１〜ａ１＋２、ｃ１〜ｃ１＋２に情報光および記憶用参照光を照射して第３の情報群を記憶する。この処理を繰り返しｍ回行うと、光記憶媒体の所定の領域に多重度ｍの多重記憶を行うことができる。
【００４８】
このように、本発明の光情報記憶方式においては、ｍ回の調節で多重度ｍの角度多重記憶を行うことができ、また、各情報群は光記憶媒体を回転させながら書き込むことができるので、従来に比べて転送レートを向上することができる。
【００４９】
また、光記憶媒体を複数のゾーンに分けて、各ゾーン内において各情報群の記憶を行うこともできる。従来から、記憶媒体を複数のゾーンに分けて、各ゾーンにおいて角速度を一定とするＺＣＡＶ（Ｚｏｎｅ  Ｃｏｎｓｔａｎｔ  Ａｎｇｕｌａｒ  Ｖｅｌｏｃｉｔｙ）方式や、各ゾーンにおいて線速度を一定とするＺＣＬＶ（Ｚｏｎｅ  Ｃｏｎｓｔａｎｔ  Ｌｉｎｅａｒ  Ｖｅｌｏｃｉｔｙ）方式が知られている。
【００５０】
ＺＣＡＶでは、光記憶媒体の外周に行くほどセクタを増やし読み書きの転送速度を上げることができ、光記憶媒体の外周でも記憶密度を保ち、ディスク容量を増やすことができる。この方式に本件発明の光情報記憶方式を適用することで、ゾーン内を書き終わるまでは、角速度も変える必要が無いので、記憶時の制御がより容易になる。
【００５１】
また、ＺＣＬＶでは、ディスクの回転速度の変化を一定の範囲に収めることができ、記録密度を高くできる。この方式に本件発明の光情報記憶方式を適用することで、ゾーン内においては、各情報群の記憶時のレーザービームの条件だけではなく、線速度も同じであるから、情報の記憶状態をより均一にすることができる。
【００５２】
このように、本発明の光情報記憶方式は、各ゾーン毎に同じ角速度や線速度の方式に組み合わせて、ゾーン毎に多重記憶を行うことで、条件の共通化を図ることができ、更に優れた効果を発揮することができるのである。
【００５３】
【発明の効果】
以上説明したように本発明によれば、まず、同じ状態の複数の第１の照射領域に第１の条件で第１の情報群を記憶し、次に、第１の照射領域と重畳する第２の照射領域に第２の条件で記憶していくので、多重度がｍの多重記憶をするために、照射条件をｍ回調節するだけで良いのである。しかも、第１の情報群を書き終わるまでの時間を個々の第１の照射領域における光化学反応のための時間とすることができるので、連続して多重記憶方式を実行することができる。
【００５４】
更に、複数の第１の照射領域が、互いに重畳していない場合は、各第１の照射領域も全く同じ状態であり、第１の条件による照射で、均一に第１の情報群を記憶することができる。
【００５５】
更に、第２の照射領域と第１の照射領域の重畳する割合が、複数の第２の照射領域のそれぞれにおいて同じであることにより、第２の照射領域に記憶される第２の情報群を、第２の条件によって正確にかつ均一に記憶することができる。
【００５６】
更に、第２の照射領域が、第１の照射領域の一部と重畳しているシフト多重記憶方式に適用すると、レーザービームの調節をまとめて行うことができるので、調節回数を減らすことができ、制御も容易になる。たとえば、周方向への多重度がｍで、半径方向の列の数がｎの場合、半径方向への多重度をｘ（ｘ≦ｎ）とすると、従来ｍ×ｎ回のレーザービームの強度の調節が必要であったのが、ｍ×ｘ回のレーザービームの強度の調節になる。また、第１の情報群を書き終わるまでの時間を個々の第１の照射領域における光化学反応のための時間とすることができるので、連続して多重記憶方式を実行することができる。
【００５７】
更に、第２の照射領域が、第１の照射領域の全部と重畳している角度多重記憶方式に適用すると、レーザービームの調節をまとめて行うことができるので、調節回数を減らすことができ、制御も容易になる。たとえば、多重度がｍで、照射領域数がｎの場合、従来はｍ×ｎ回のレーザービームの強度の調節が必要であったが、本発明においてはレーザービームの強度の調節がｍ回で済むのである。また、第１の情報群を書き終わるまでの時間を個々の第１の照射領域における光化学反応のための時間とすることができるので、連続して多重記憶方式を実行することができる。更には、各情報群は光記憶媒体を回転させながら書き込むことができるので、従来に比べて転送レートを向上することができる。
【００５８】
更に、角度多重記憶方式に適用した場合に、第２の条件が、第１の条件に比べて光記憶媒体に対する情報光または記憶用参照光の入射角も変化させることにより、角度多重記憶方式において、レーザービームの入射角の調節もｍ回で済むことになる。
【００５９】
更に、光記憶媒体を複数のゾーンに分けて、各ゾーン内において第１の情報群の記憶および第２の情報群の記憶を行えば、各ゾーンで光記憶媒体の角速度や線速度を一定とすることで、本発明の面多重記憶方式は更に優れた効果を発揮することができる。
【図面の簡単な説明】
【図１】本発明の面多重記憶方式を説明するための図
【図２】本発明の面多重記憶方式を説明するための図
【図３】（Ａ）は光記憶媒体のトラックに沿った概略断面図、（Ｂ）は概略平面図
【図４】従来のシフト多重記憶方式を説明するための図
【図５】従来の角度多重記憶方式を説明するための図
【符号の説明】
ａ１〜ａ１＋２、ｃ１〜ｃ１＋２  第１の照射領域
ａ２〜ａ２＋２、ｃ２〜ｃ２＋２  第２の照射領域
【図１】
2005032308.tif 000003
【図２】
2005032308.tif 000004
【図３】
2005032308.tif 000005
【図４】
2005032308.tif 000006
【図５】
2005032308.tif 000007